Podtech/llm-jp-corpus-v4-ja_patent huggingface dataset:
(57)【要約】      （修正有）【課題】就寝時の血圧の安定を測るマットを提供する。【解決手段】腰の部分と肩甲骨の部分の高さをつけ背骨のわん曲に対応する曲面をつけた血圧安定マットである。マットにふくらみをつけることによって、就寝時に背骨が変形することを防ぐ。【選択図】図１
0003138426.tif 000002
【実用新案登録請求の範囲】
【請求項１】
睡眠時の血圧の上昇を防ぐため、背骨のわん曲を維持することを目的とした血圧安定マット
【考案の詳細な説明】
【技術分野】
【０００１】本考案は就寝時の背骨のわん曲を守るマットに関するものである。
【背景技術】
【０００２】これまでのマット、ふとんは扁平であった。
【考案の開示】
【考案が解決しようとする課題】
【０００３】扁平のマット、ふとんに寝ることにより、背骨のわん曲がのびて硬直することにより、血液を循環させるポンプとしての役割を背骨が果せなくなり、血圧が上昇するのを防ぐ。
【課題を解決するための手段】
【０００４】就寝時に背骨のわん曲に沿ったマットを敷くことにより、背骨のわん曲を守る。
【考案の効果】
【０００５】上述のように本考案のマットを敷くことにより、睡眠中の血液循環を守り、早朝の血圧上昇を防ぐ。
【考案を実施するための最良の形態】
【０００６】肩から腰にかけて体の重さで背骨がひっこまないよう補強するマットを敷く。
【図面の簡単な説明】
【０００７】
【図１】血圧安定マットの側面図
【図２】血圧安定マットの平面図
【図１】
0003138426.tif 000003
【図２】
0003138426.tif 000004
【手続補正書】
【提出日】平成19年9月26日(2007.9.26)
【手続補正１】
【補正対象書類名】実用新案登録請求の範囲
【補正対象項目名】全文
【補正方法】変更
【補正の内容】
【実用新案登録請求の範囲】
【請求項１】
腰の部分と肩甲骨の部分に高さをつけ背骨のわん曲に対応する曲面をつけた血圧安定マット
【手続補正２】
【補正対象書類名】明細書
【補正対象項目名】０００３
【補正方法】変更
【補正の内容】
【０００３】私の重症高血圧を克服する過程で医師の治療を受ける一方で正しいダンスの動きの中には血圧の上昇に対処する動きが組み込まれている筈だ、と考えベテランダンス教師の指導を受けながらどの動きが血圧を下げる効果があるか血圧を測りながら詳細に検討した。その結果背骨の使い方に血圧を下げる働きがあることに気付いた。このことは「阿含仏教超能力の秘密」Ｐ２８８横隔膜の強力なポンプとしての役割を利用したものであると思われる。そう考えるなら現在医学界で問題になっている薬でコントロールできない「仮面高血圧」の原因は扁平な布団に寝ることによって起きる背骨の硬直化ではないかと考え、睡眠中の背骨の硬直化を防ぐ血圧安定マットを考案した。
(57)【要約】      （修正有）【課題】風呂敷に輪ゴムを取り付けることによりさまざまな形のものを簡単に包むことができ、小さく持ち歩けるように畳んでゴムで止めることが出来る、さらにゴムは裏面で隠せるようになっており通常の風呂敷と同じように使うことも可能とする。【解決手段】風呂敷ａの裏面の四つ角一箇所に三角の当て布ｂを合わせ、布との間に輪ゴムｃを縫い付けることによりゴムが隠れるようになっているゴム付風呂敷。【選択図】図２
0003138422.tif 000002
【実用新案登録請求の範囲】
【請求項１】
本来ある風呂敷にゴムを取り付け、そのゴムを使うことにより簡単に手提げ袋として使用したりスカーフとして使用したり、物を包むという用途の他ファッションの一部としても簡単に使用することができる。
【考案の詳細な説明】
【技術分野】
【０００１】本考案は本来ある正方形の布に角に一箇所ゴムをつけることにより様々な用途に対応できるものである。
【背景技術】
【０００２】エコロジーとして使い捨てにならない風呂敷が現在話題となっているが手先が不器用な人にはあまり使いこなせないという声もある。
【考案の開示】
【考案が解決しようとする課題】
【０００３】風呂敷は日本の文化のひとつでありその文化を現代に合わせ、デザイン性を重視し若い方からご年配の方まで生活の中でいつも使ってもらえるように、スカーフとしてや手提げ袋として使いやすいようになっている。
【課題を解決するための手段】
【０００４】風呂敷の角一箇所にゴムをつけることにより物を包む際の安定や畳んで持ち歩く際、そのゴムで止めておくことも出来、本来の風呂敷をさらに使いやすくしている。
【考案の効果】
【０００５】日本人の包む文化を広めることができると同時にエコロジーとして使用する目的や、スカーフとして様々使い道ができることにより日本文化を大切にする心を養い、世界にも誇れるアイテムとして活躍できる。
【考案を実施するための最良の形態】
【０００６】風呂敷の角一箇所にゴムが付いているが中に隠せることも可能で通常の風呂敷としても使用できる、またそのゴムを使いワインなど不安定な大きさのものをしっかり縛り安定することができる、スカーフとしての用途はゴムに風呂敷を通して軽く首に巻くことができる。
【実施例】
【０００７】以下、添付図面に従って説明する。
【産業上の利用可能性】
【０００８】いつも持ち歩きやすいコンパクトな大きさで持ち歩くことにより、スーパーやコンビニエンスストアなどでのビニール袋を削減しエコロジーにも効果がある、また企業やオリジナルの布を使用し各会社のノベルティなどにも使用でき、販売促進としても役立つアイテムとなる。
【図面の簡単な説明】
【０００９】
【図１】本考案の全体
【図２】本考案の裏全体
【図３】本考案を小さく畳んだ図
【符号の説明】
【００１０】ａ．ゴム付き風呂敷表全体
ｂ．ゴムを取り付け、隠す部分
ｃ．ゴム
【図１】
0003138422.tif 000003
【図２】
0003138422.tif 000004
【図３】
0003138422.tif 000005
【手続補正書】
【提出日】平成19年9月21日(2007.9.21)
【手続補正１】
【補正対象書類名】実用新案登録請求の範囲
【補正対象項目名】全文
【補正方法】変更
【補正の内容】
【実用新案登録請求の範囲】
【請求項１】
風呂敷の裏面の四つ角一箇所に三角の当て布を合わせ、布との間に輪ゴムを縫い付けることによりゴムが隠れるようになっているゴム付風呂敷。
(57)【要約】【課題】従来の笛で音を出す時、形状が上から下に向って息を吹き込む構造になっているため息に含まれる唾液が音を発生させる穴に溜ってしまい音が変音、あるいは音が消失などという問題があった。従ってこの笛の構造では音楽は奏られないので、もっと連続して音が出せる方法を提供することが課題となる。【解決手段】息を吹き込んだ時、唾液が出るのはさけられないので  吹き込み筒の形状を［図２］のようにした。この形状にすれば唾液は引力により下方向に向かい落ちて行き、しかも唾液が溜まる部分に孔を明けておけばうまい具合に唾液だけが放出される。このとき空気は唾液で栓をされた形になり上部の音の出る穴に向うことが出来る。この方法により唾液と空気がうまく分離され息を連続して出しても音の変化はなく、すばらしい長時間の音楽を楽しむことが出来る。【選択図】図１
0003138440.tif 000002
【実用新案登録請求の範囲】
【請求項１】
笛の本体の吹き込み穴へ［図２］の３の形状の筒を取付ける
【請求項２】
息を吹き込む筒［図２］の４の所へ真下に孔をあける
【請求項３】
息を吹き込む筒［図２］の２の所へやわらかい管の装着
【考案の詳細な説明】
【技術分野】
【０００１】この発明は笛の音を出す為の息を吹き込む方向を変えたものである。
【背景技術】
【０００２】従来この種の笛は息を上から下に向って吹き込んでいた。
【考案の開示】
【考案が解決しようとする課題】
【０００３】しかし従来のような息の吹き込み方法では穴の部分に自分で出す唾液が留まりすぐに音が出なくなってしまう、この不都合を解決することを課題とする。
【課題を解決するための手段】
【０００４】この課題を解決するため従来の笛の音の発生する穴の部分に（３）の形状をした筒を接着し（１）の部分より息を吹き込んだとしても（４）の部分で唾液が抜け、音の出る穴へ唾液はいかず、音は連続して出やすくなる。尚、図２は実際に音を出す時は上側から下に向って息を吹き込むものとする。
【考案の効果】
【０００５】従来の作品は音を出して少しするとすぐに音が変わり、又は音が出なくなってしまい演奏が出来なくなり困ってしまった。しかし本発明によりそのようなことはなくなり、しかも何曲演奏しても音が途切れることはなく、又音質も良く最高の笛になった。
【考案を実施するための最良の形態】
【０００６】図１は従来の作品の形状を示したものである。図の（１）から息を吹き込むとしらずのうちに音の発生する穴の部分が唾液で濡れてしまい音が出なくなってしまうのである。【０００７】図２は笛本体に（３）の円筒を図のように曲げてくっつけたものである。
これに（２）の部分から息を吹き込んでも息は穴の手前で下から上がってくることになるため引力により唾液は下に落ちてしまい穴の部分は濡れない。従って連続して音が出るようになる。【０００８】図２の（２）は吹き込み口にやわらかいマウスピースをつける。こうすることによりやわらかい音が出やすく、口元にやさしく、又連続して演奏してもつかれない。【０００９】図２の（４）丁度その部分に唾液が溜まり空気の流れが悪くなるので、その部分の真下に穴をあけ唾液抜きとします。こうすることにより空気はいつも一定に流れることが出来る。
【図面の簡単な説明】
【００１０】
【図１】従来の笛の斜視図である
【図２】本発明の斜視図である
【符号の説明】
【００１１】１  従来の笛の息の吹き込み筒
２  吹き込みくちにつけたやわらかい管
３  吹き込み筒
４  唾液抜き孔
５  笛の本体
【図１】
0003138440.tif 000003
【図２】
0003138440.tif 000004
【手続補正書】
【提出日】平成19年10月5日(2007.10.5)
【手続補正１】
【補正対象書類名】実用新案登録請求の範囲
【補正対象項目名】全文
【補正方法】変更
【補正の内容】
【実用新案登録請求の範囲】
【請求項１】
笛となる筒の側面に音出し用の穴をあけ、その部分に息の吹込管となるＵの字型に曲げた管の片側を接着すること。
この形状の物を操作することにより音楽を奏でることが出来る。
この物品はこのような構造をした笛である。
【請求項２】
笛となる筒の側面に音出し用の穴をあけ、その部分に息の吹込管となるＵの字型に曲げた管の片側を接着した笛、これにより出来た笛は吹込管のＵの字の下部に唾液が溜まり音が出なくなる、これを解消するためＵの字型管のいちばん低い部分に穴をあけ、唾液抜きを作ること。このようにすることにより、長時間より良い音が出せる。従ってこの物品はこのような構造をした笛である。
【請求項３】
笛となる筒の側面に音出し用の穴をあけ、その部分に息の吹込管となるＵの字型に曲げた管の片側を接着した笛これにより出来た笛は吹込管の先端が固く動きにくく、長時間の演奏が出来ない。よってこのことを解消するため、吹込管の先端に数センチに切ったチューブを取り付け、それに２段目の吹込筒を差し込む次に２段目の吹込管にチューブで作ったマウスピースを装着すること。
これにより疲れず、なめらかな演奏が可能になる。以上によりこの物品は上記のような構造をした笛である。
(57)【要約】      （修正有）【課題】自動車の盗難、免許証不携帯運転や無免許運転を防止する。【解決手段】自動車運転免許証とセンサーおよびリレーの３つの組み合わせにおいて、運転免許証をセンサーに挿入しそのデーター（番号および有効年月日）がそのセンサーに登録のものと一致している場合センサーからの信号によりリレーは燃料ポンプの電気回路を接続する。運転免許証がセンサーに挿入されていない場合は電気回路を遮断する。以上からなる作動条件を特徴とする自動車のエンジンの始動をコントロールする装置。【選択図】図２
0003138433.tif 000002
【実用新案登録請求の範囲】
【請求項１】
自動車運転免許証の番号および有効年月日を車内に装着のセンサーに登録する。車を運転する際は、運転免許証をそのセンサーに挿入する。センサーは運転免許証のこれらのデーターを読み取る。運転免許証のデーターが登録のものと一致すれば、センサーはリレーに信号を送り、燃料ポンプの電気回路は接続される。従って、運転者が通常通りキーを操作すれば、エンジンは始動する。しかし、センサーに運転免許証を挿入してもデーターが未登録、又は、登録のものであっても、有効期限が切れている。更に、センサーに運転免許証が挿入されていない。これらの場合は、センサーはリレーに信号を送らず、リレーは燃料ポンプの電気回路を遮断している。この場合、運転者はキーを操作してもエンジンは始動しない装置。
【考案の詳細な説明】
【技術分野】
【０００１】本考案は電子技術に関するものである。
【背景技術】
【０００２】自動車盗難防止装置は、現在、多種がある。しかし、無免許運転や運転免許証の有効期限切れ運転を防止する装置は、現在の車には装着されていない。  本考案は、この両者を車に装着されたセンサーにより行うようにした、全く新しい技術である。
【考案が解決しようとする課題】
【０００３】１．自動車の盗難防止２．無免許運転の防止３．免許証不携帯運転の防止４．免許証有効期限切れ運転の防止
【課題を解決するための手段】
【０００４】１．運転免許証の番号および有効期限を自動車車内に装着のセンサーに登録する。２．車を運転する際、運転免許証を、そのセンサーに挿入する。
【考案の効果】
【０００５】自動車の盗難防止効果１．当該自動車の車内に装着のセンサーに、運転免許証が挿入されていない。２．運転免許証をセンサーに挿入してもデーターが未登録。＊＊＊上記２項目に該当する場合は、当該自動車のエンジンは始動しない。法的効果１．無免許運転の防止２．免許証不携帯運転の防止３．免許証の有効期限切れ運転の防止＊＊＊上記３項目は運転免許証がセンサーに挿入されていない、又は、挿入しても免許証の有効期限が切れていれば、当該自動車のエンジンは始動しない。
【考案を実施するための最良の形態】
【０００６】１．自動車運転免許証の番号および有効年月日を、車内に装着のセンサーに登録する。２．自動車を運転する場合、運転免許証を、そのセンサーに挿入する。３．運転免許証のデーターが、そのセンサーに登録済みであればエンジンは始動する。４．運転免許証のデーターが登録されていない、又は、有効期限が切れている場合は、エンジンは始動しない。５．運転免許証がセンサーに挿入されていない場合（無免許、免許証不携帯）は、エンジンは始動しない。６．自動車を盗もうとする場合は、運転免許証がセンサーに登録さておらず、更に、運転免許証がセンサーに挿入されていない訳なので、エンジンは絶対に始動しない。７．検問などで警察官に運転免許証の提示を求められた場合は免許証をセンサーに挿入のまま提示できるようになっている。８．レンタカーの場合も、借りる人の免許証のデーターを登録すれば、他の人が運転できず、悪用される心配も無い。
【図面の簡単な説明】
【０００７】
【図１】全体図（センサー、リレー、燃料ポンプおよび燃料タンク等の本考案関連の構成部        品の配置）
【図２】センサーおよび運転免許証（本考案のポイントになる図。▲１▼運転免許証をセン        サーに挿入しなければ、車は走らない。▲２▼センサーは免許証の番号と有効年月日を読        み取るだけなので、免許証の氏名と写真はセンサーの外にある。検問などで警察官は運転        者と免許証の確認は、免許証がセンサーに挿入のまま行える）
【図３】リレー、燃料ポンプおよび燃料タンク
【符号の説明】
１    センサー２    自動車運転免許証３    リレー４    燃料ポンプ５    燃料タンク６    運転免許証の写真７    運転免許証の氏名
【図１】
0003138433.tif 000003
【図２】
0003138433.tif 000004
【図３】
0003138433.tif 000005
【手続補正書】
【提出日】平成19年9月10日(2007.9.10)
【手続補正１】
【補正対象書類名】実用新案登録請求の範囲
【補正対象項目名】全文
【補正方法】変更
【補正の内容】
【実用新案登録請求の範囲】
【請求項１】
自動車運転免許証とセンサーおよびリレーの３つの組み合わせにおいて、
（１）運転免許証をセンサーに挿入しそのデーター（番号および有効年月日）がそのセンサーに登録のものと一致している場合センサーからの信号によりリレーは燃料ポンプの電気回路を接続、
（２）運転免許証のデーターが登録のものと異なる又は有効期限切れの場合センサーからの信号によりリレーは燃料ポンプの電気回路を遮断、
（３）運転免許証がセンサーに挿入されていない場合は上記（２）と同じ作動、
以上からなる作動条件を特徴とする自動車のエンジンの始動をコントロールする装置。
(57)【要約】【課題】  天井直付け蛍光灯具の蛍光管等を、交換する際の蛍光灯具カバー着脱は、天井と蛍光灯具の隙間がほとんどないことから、蛍光灯具カバー止め金具の位置が良く見えず、難しい作業となる。確実に止め金具が固定されていなければ、蛍光灯具カバーが落下し破損、負傷に繋がる恐れがある。【解決手段】  蛍光灯具本体と蛍光灯具カバーの固定を、ロープ吊り上げ方式とする。４箇所に配したロープと、それに付属するリング３、コードストッパー６で固定し、蛍光灯具カバーの着脱は、ロープ２、リング３、フック４、コードストッパー６を操作して行う。【選択図】図１
0003138439.tif 000002
【実用新案登録請求の範囲】
【請求項１】
天井直付け蛍光灯具本体と、蛍光灯具カバーの固定をロープ吊り上げ方式とすることにより、蛍光灯具カバーの着脱を容易にし、蛍光灯具カバーの落下を防止できる蛍光灯具の構造。
【考案の詳細な説明】
【技術分野】
【０００１】  本考案は、天井直付け蛍光灯具のカバー着脱に関するものである。
【背景技術】
【０００２】  天井直付け蛍光灯具のカバーは、回転式止め金具で蛍光灯具本体に固定されているものが多く、その着脱は回転式止め金具のレバーを操作して行われている。
【考案の開示】
【考案が解決しようとする課題】
【０００３】  蛍光灯具の蛍光管等を交換するためには、蛍光灯具カバーを取り外し、交換後にそれを取り付ける必要がある。天井直付けのため天井と蛍光灯具の隙間がほとんどなく、頭が支えて止め金具の位置を目視することが難しい。【０００４】  蛍光灯具カバーの取り外しは、手さぐりで比較的容易にできるが、取り付けは困難な作業となる。一人作業では反対側の止め金具を同時に操作できないことから、確実に固定されてない状態で反対側に移動した場合、落下の恐れがあり破損、負傷に繋がることも考えられる。
【課題を解決するための手段】
【０００５】  蛍光灯具本体と蛍光灯具カバーの固定手段を、回転式止め金具方式より、ロープによる吊り上げ方式に改める。【０００６】  通常、蛍光灯具カバーは４箇所に配したロープ２の一端に付いているリング３と、もう一端に付いているコードストッパー６で固定される。【０００７】  蛍光管等交換時は、コードストッパー６を少し下方にずらし、ロープ２の緊張を緩めリング３をフック４から外すことにより、ロープ２と共にカバー外枠８とカバー９が降下し、ロープ貫通部５にリング３とコードストッパー６が当たり停止する。【０００８】  蛍光管等交換終了後はロープ２を引き上げ、リング３をフック４に掛ける。灯具本体１とカバー外枠８に隙間が生じるので、コードストッパー６を上方にずらし密着させる。
【考案の効果】
【０００９】  着脱時にカバー等が落下する恐れがなく安全である。【００１０】  一人で容易に蛍光管等の交換作業ができる。【００１１】  カバー等を床に降ろすことなく蛍光管等の交換作業ができる。【００１２】  カバー清掃時はカバー外枠を残したまま、カバーだけを取り外すことができる。【００１３】  宙吊り状態のカバーを交換品の受け皿として利用できるので、交換一回毎に脚立等から床に降りる必要がない。
【考案を実施するための最良の形態】
【００１４】  カバー外枠とカバーの重量をロープで吊り上げて支えることになるため、コードストッパーのスプリング強度、ロープ表面の摩擦力、コードストッパーの内径とロープの外径との関係、ロープとリングの接続強度を十分に考慮する必要がある。【００１５】  コードストッパーのスプリングが経年劣化等により、仮に４箇所全てが同時に破損した場合、カバー外枠とカバーは落下してしまう。これを防止するためには、コードストッパーより下方のロープに結び目を付ける方策があるが、カバー外枠とカバーを床に降ろす必要がある時は、ロープの結び目を解いてから、コードストッパーをロープから外さなければならない。【００１６】  ロープ貫通部は、ロープが擦れるので傷がつかない形状にする必要がある。
【図面の簡単な説明】
【００１７】
【図１】本考案の概要図（Ｂ−Ｂ）である。
【図２】天井側からの平面図である。
【図３】断面図（Ａ−Ａ）である。
【符号の説明】
【００１８】  １  灯具本体
２  ロープ
３  リング
４  フック
５  ロープ貫通部
６  コードストッパー
７  天井
８  カバー外枠
９  カバー
１０  フック取り付け箇所
【図１】
0003138439.tif 000003
【図２】
0003138439.tif 000004
【図３】
0003138439.tif 000005
【手続補正書】
【提出日】平成19年10月1日(2007.10.1)
【手続補正１】
【補正対象書類名】実用新案登録請求の範囲
【補正対象項目名】全文
【補正方法】変更
【補正の内容】
【実用新案登録請求の範囲】
【請求項１】
天井直付け蛍光灯具本体と、蛍光灯具カバーの着脱を容易にし、且つ蛍光灯具カバーの落下を防止できる、ロープ吊り上げ式蛍光灯具の構造。
即ち、４本のロープ上端に取り付けられたフックを、蛍光灯具本体側４箇所に固定し、ロープ下端を蛍光灯具カバーの隅に設けられたロープ貫通部４箇所に通して、ロープ貫通部下方側のロープ４本にコードストッパーを取り付け、蛍光灯具本体と蛍光灯具カバーを固定するものである。
(57)【要約】      （修正有）【課題】従来の足湯設備では、足湯を利用する際、上流から流れ出た湯に多くの人が足を入れ利用している。同時に多くの人が利用し、石鹸できれいに洗い落としてから利用するものでもないため、衛生的ではないのではとの疑問が解消する。【解決手段】個別に使用できるよう横に仕切りを設け、前又は後ろから湯が足湯に流れ入り、後ろ又は前から湯が流れ出るようにした。【選択図】図１
0003138434.tif 000002
【実用新案登録請求の範囲】
【請求項１】
足湯の湯を個人又は数人で個別に利用できるようにした足湯設備。
【考案の詳細な説明】
【技術分野】
【０００１】  本考案は、足湯の湯を個人又は数人で個別に使用できる足湯に関する。
【背景技術】
【０００２】  従来の足湯設備では、上流からの湯に多くの人が足を入れ利用する。（図２）
【考案の開示】
【考案が解決しようとする課題】
【０００３】  しかし、多くの人が利用し、同じ湯を利用するため、衛生的でないのでは？と考えられ、気分的にもゆったり出来なく落ち着かない。
【課題を解決するための手段】
【０００４】  そこで、個別に使用できるよう仕切りを設け、前又は後ろから湯が流れ入り、後ろ又は前から湯が流れ出るように考案した（図１）。
【考案の効果】
【０００５】  よって、本考案の足湯により、足湯設備を個別に利用できるため、従来の足湯に対して感じていた衛生的ではないのでは？との疑問が解消される。
【考案を実施するための最良の形態】
【０００６】  本考案に係る横仕切り２は、図１に示すように、湯Ｙを前又は後から流入し、後又は前へ流出する。湯入口側仕切り３にはバルブ付又は閉止栓付き湯口１があり、湯出口側の仕切り４は足湯の湯量に合わせた高さになっている。
【図面の簡単な説明】
【０００７】
【図１】  本考案に係る足湯１０は、座席下の湯入口側仕切り３より足湯１０に流入し、前方の湯出口側の仕切り４に流れ出る個別足湯設備の図である。
【図２】  従来の足湯設備の図である。
【符号の説明】
【０００８】  １    バルブ付湯口
２    横仕切り
３    湯入口側仕切り
４    湯出口側仕切り
５    座席
１０    足湯
Ｙ    湯
【図１】
0003138434.tif 000003
【図２】
0003138434.tif 000004
【手続補正書】
【提出日】平成19年9月26日(2007.9.26)
【手続補正１】
【補正対象書類名】実用新案登録請求の範囲
【補正対象項目名】全文
【補正方法】変更
【補正の内容】
【実用新案登録請求の範囲】
【請求項１】
個別利用できるよう足湯の湯流れを変更すると共に仕切りを設けた個別足湯設備。
【手続補正３】
【補正対象書類名】明細書
【補正対象項目名】０００４
【補正方法】変更
【補正の内容】
【０００４】そこで、個別に使用できるよう仕切りを設けると共に、前又は後ろから湯が個別足湯に流れ入り、後ろ又は前から湯が流れ出る等湯流れ変更を考案した（図１）。
(57)【要約】      （修正有）【課題】モニタリング孔の型枠にジャガイモ、トウモロコシを主成分とした生分解性プラスティックを用いており、また、生分解性プラスティックはコンクリートの水分と放熱（硬化熱）により、無害・無残材の状態で綿状に自然分解し消滅するグレーチング床版におけるコンクリートモニタリング孔型枠（キャップ）を提供する。【解決手段】モニタリング孔型枠受け部ａ２に、モニタリング孔型枠挿入部１を一体成型により立設し、モニタリング孔型枠受け部ａ２に、モニタリング孔型枠受け部ｂ３を圧着機にて重着し、素材に生分解性プラスティックを使用すれば、脱枠のための人手間や、脱枠に必要な足場の架設を要しないので、工期短縮やコスト削減効果が期待でき、分解までの時間をコントロールでき、建設現場の様々な要望に臨機応変な対応が期待できるコンクリートモニタリング孔型枠（キャップ）。【選択図】図１
0003138450.tif 000002
【実用新案登録請求の範囲】
【請求項１】
モニタリング孔型枠受け部ａにモニタリング孔型枠挿入部を立設し、モニタリング孔型枠受け部ａにモニタリング孔型枠受け部ｂを重着することを特徴とする、生分解性プラスティックを用いたグレーチング床版におけるコンクリートモニタリング孔型枠（キャップ）。
【考案の詳細な説明】
【技術分野】
【０００１】  本考案は、モニタリング孔型枠受け部ａにモニタリング孔型枠挿入部を立設し、モニタリング孔型枠受け部ａにモニタリング孔型枠受け部ｂを重着した、生分解性プラスティックを用いたグレーチング床版におけるコンクリートモニタリング孔型枠（キャップ）に関するものである。
【背景技術】
【０００２】  モニタリング孔の孔塞ぎ型枠としては、木製型枠、ゴム製の栓、ガムテープが使用されていた。
【考案の開示】
【考案が解決しようとする課題】
【０００３】  背景技術で述べた木製型枠においては、型枠自体に厚みがあるため床版コンクリートの厚みが確保できず、コンクリート内に埋没し、撤去に困難を要するという欠点を有していた。また、ゴム製の栓においても木製型枠と同様に厚さを要するという欠点を有しており、ガムテープは、コンクリートの水分により剥離するという各々の欠点を有していた。コンクリートは所定強度に達するまでに、型枠中にて長時間養生する必要があり、木製型枠・ゴム製の栓においては、脱枠だけのために再度主体足場、中段足場を架設しなければならないという欠点をも有していた。
【課題を解決するための手段】
【０００４】  本考案は、モニタリング孔の型枠にジャガイモ、トウモロコシを主成分とした生分解性プラスティックを用いており、このことにより厚みが最大で１ｍｍという薄さが確保できるため、コンクリートの出来形に支障をきたすことはない。また、生分解性プラスティックはコンクリートの水分と放熱（硬化熱）により、無害・無残材の状態で綿状に自然分解し消滅するので、撤去時の足場は必要としないことにより問題点を解決している。
【考案の効果】
【０００５】  上述のように、本考案の生分解性プラスティックを用いたグレーチング床版におけるコンクリートモニタリング孔型枠（キャップ）は、脱枠のための人手間や、脱枠に必要な足場の架設を要しないので、工期短縮やコスト削減効果が期待できる。また、分解までの時間をコントロールできるので、建設現場の様々な要望に臨機応変な対応が期待できる。
【考案の実施するための最良の形態】
【０００６】  モニタリング孔型枠受け部ａにモニタリング孔型枠挿入部を立設し、モニタリング孔型枠受け部ａにモニタリング孔型枠受け部ｂを重着し、素材に生分解性プラスティックを使用すれば、床版コンクリートの厚さが確保でき、脱枠のための足場の架設を必要としない。
【実施例】
【０００７】  以下、添付図面に従って一実施例を説明する。１は厚み０．２ｍｍ〜１．０ｍｍを有し、直径２０ｍｍ〜５０ｍｍ程度を有するモニタリング孔型枠挿入部であり、厚み０．２ｍｍ〜１．０ｍｍを有する２のモニタリング孔型枠受け部ａに立設され、成型機にて成型されている。厚み０．２ｍｍ〜１．０ｍｍを有する３のモニタリング孔型枠受け部ｂは成型機にて円形に成型され２のモニタリング孔型枠受け部ａに重着されている。【０００８】  モニタリング孔型枠挿入部は円形だけでなく、例えば三角形、四角形、ひし形などでもよい。
【図面の簡単な説明】
【０００９】
【図１】  本考案の斜視図である。
【符号の説明】
１．モニタリング孔型枠挿入部
２．モニタリング孔型枠受け部ａ
３．モニタリング孔型枠受け部ｂ
【図１】
0003138450.tif 000003
(57)【要約】      （修正有）【課題】垢すりの時に垢すり面の形状を維持する浴用垢すりスポンジに関する。【解決手段】スポンジの上部に不燃織布Ａを接着し、下面に形状維持板Ｄを接着した構造の垢すりスポンジである。垢すりスポンジの形状維持板の素材は、垢すり表面の形状を維持する硬度を有する物であれば、強度の強弱・固軟等により感触の悪いものでない限り、材質を選ばず握りやすい大きさに加工したもの。形状維持板を手の甲に包むように握り、垢すりをしやすいように部位に応じて必要があれば握りかえて使用する。【選択図】図５
0003138445.tif 000002
【実用新案登録請求の範囲】
【請求項１】
形状維持板を接着した垢すりスポンジ。
【考案の詳細な説明】
【技術分野】
【０００１】  本考案は、垢すりの時に垢すり面の形状を維持する浴用垢すりスポンジに関するものである。
【背景技術】
【０００２】  タオル・スポンジを握り垢すりに使うと、すり面がゆがみ握った部分に限定されて効果が半減されていた。
【考案の開示】
【考案が解決しようとする課題】
【０００３】  手拭を握って垢すりをした場合、垢すり面が握った部分面積にとどまり手の平の届くところまでは垢すりが出来ない・垢すりスポンジを握って使った場合・垢すり面がゆがみ握った部分面積に留まり垢すり範囲は、その部分の移動の範囲に留まる、その欠点を解決しようとするものである。【０００４】  本考案は、垢すりスポンジを握った場合垢すり面の形状を維持し、その面積を確保する為に形状維持板をスポンジに接着して、その反対面にナイロン不織布を接着しより垢すり効果をあげて問題点を解決している。
【考案の効果】
【０００５】  上述のように、本考案の、形状維持板を接着する事によって握っても、すり面が形状を維持するため接触面積が広く軽い擦りで効果があり握り拳までであった垢すり範囲が垢すりスポンジの先端まで可能になった。
【考案の実施するための最良の形態】
【０００６】  垢すりスポンジの形状維持板の素材は、垢すり表面の形状を維持する硬度を有する物であれば強度の強弱・固軟等により感触の悪いものでない限り材質を選ばず握りやすい大きさに加工したもの。形状維持板を手の甲に包むように握り、垢すりをしやすいように部位に応じて必要があれば握りかえて使用する。
【実施例】
【０００７】以下、添付図面に従って実施例を説明する。１図は、ナイロン不織布・Ａは、不織布面・を２図は、スポンジ・Ｂは、スポンジ面上・に接着して・図３は、図２と同一のスポンジ・Ｃは、スポンジ面下・に・４図は、形状維持板・Ｄは、形状維持板面・を接着させて一体化した構造の垢すりスポンジ【０００８】、５図は、スポンジ・の上部に不燃織布図を接着し下面に形状維持板を接着した構造の垢すりスポンジの傾斜図である。使用する時は構造維持板を手の甲に包むように握り図１のナイロン不織物面を肌に接触させて垢すりをする。
【図１】
0003138445.tif 000003
【図２】
0003138445.tif 000004
【図３】
0003138445.tif 000005
【図４】
0003138445.tif 000006
【図５】
0003138445.tif 000007
【手続補正書】
【提出日】平成19年10月4日(2007.10.4)
【手続補正１】
【補正対象書類名】明細書
【補正対象項目名】全文
【補正方法】変更
【補正の内容】
【考案の詳細な説明】
【技術分野】
【０００１】  本考案は、垢すりの時に垢すり面の形状を維持する浴用垢すりスポンジに関するものである。
【背景技術】
【０００２】  タオル。スポンジを握り垢すりに使うと、すり面がゆがみ握った部分に限定されて効果が半減されていた。
【考案の開示】
【考案が解決しようとする課題】
【０００３】手拭を握って垢すりをした場合、垢すり面が握った部分面積にとどまり、手の平の届くところまでは垢すりが出来ない。垢すりスポンジを握って使った場合も、垢すり面がゆがみ握った部分面積にとどまり思うように垢すりが出来ず垢すり範囲は、その移動の範囲にとどまり手の平の届くところまでは垢すりが出来ない、その欠点を解決しようとするものである。【０００４】本考案は、垢すりスポンジを握った場合垢すり面の形状を維持し、その面積を確保し形状維持板にかかる接圧力をスポンジの弾性によって垢すり面に分散させナイロン不織布を接着しより垢すり効果をあげて問題点を解決している。
【考案の効果】
【０００５】上述のように、本考案の、形状維持板を接着する事によって握っても、垢すり面が形状を維持するため接触面積が広くナイロン不織布により軽い擦りで効果があり握り拳までの範囲であった垢すり範囲が垢すり面の先端まで可能になった。
【考案の実施するための最良の形態】
【０００６】垢すりスポンジの形状維持板の素材は、摂氏５０度以下のお湯．セツケンで変形・変質せず、垢すり表面の形状を維持する硬度を有するもので、強度の強弱・固軟等により感触の悪くない材質の物質。
【０００７】使用は、形状維持板を手の甲に包むように握り、垢すりやすいように部位に応じて握り替えて使用する。
【０００８】５図は、スポンジ・の上面２図のＢに、ナイロンの不織布を接着し、下面３図のＣに形状維持板を接着した構造の垢すりスポンジの傾斜図である。使用する時は形状維持板を手の甲に包むように握り、図１のナイロン不織布面を肌に接触させて垢すりをする。
形状維持板を手の甲に包むように握り垢すりをする圧接力は、スポンジの弾性によって垢すり面に分散されるので、手足の間接部分等の垢すりも手足の滑らかなところと同じように垢すりが出来るので、快適な摩擦感を感じる範囲に留めること。
【図面の簡単な説明】
【０００９】
【図１】「ナイロン不織布のＡ面を示した立体傾斜図である。」
【図２】「スポンジのＢ面を示した立体傾斜図である。」
【図３】「スポンジのＣ面を示した立体傾斜図である。」
【図４】「形状維持板のＤ面を示した立体傾斜図である。」
【図５】「スポンジにナイロン不織布Ａ・形状維持板Ｄを接着した垢すりスポンジの立体傾斜図である。」
【符号の説明】
【００１０】〔図１〕のＡはスポンジとの接着面
〔図２〕のＢは、ナイロン不織布との接着面
〔図３〕のＣは、形状維持板との接着面
〔図４〕のＤは、スポンジとの接着面
〔図５〕のＡは、ナイロンの不織布・Ｄは、形状維持板
(57)【要約】【課題】  使い捨て紙おむつにおいて、おむつ交換時に大便が陰のうや陰部に付着することを防ぐ使い捨て紙おむつを提供する。【解決手段】  使い捨て紙おむつの中央吸水パットの表面の中央に紙の小片を設け、おむつ着用時に、この紙の小片を陰のうや陰部に当て、大便との仕切りをつけて大便の付着を防止する。【選択図】    図１
0003138443.tif 000002
【実用新案登録請求の範囲】
【請求項１】
使い捨て紙おむつ（１）において、中央吸水パット（２）の中央表面に紙の小片（３）を設けたことを特徴とした使い捨て紙おむつ。
【考案の詳細な説明】
【技術分野】
【０００１】
本考案は、使い捨て紙おむつに関する。
【背景技術】
【０００２】
使い捨て紙おむつに関しては、乳幼児用から要介護者用に対して男子用・女子用と大きさや形状等に別れ多種あるが、男子用・女子用の違いは吸水パットの位置と大きさに大別されている。
特に男子用のおむつとして下記の公報に示されているように男性器官をどのように納めるかを問題としているものも見受けられる。
【特許文献１】特開平２００７−１６７２１０号公報
【特許文献２】特開平２００７−６１３６３号公報
【考案の開示】
【考案が解決しようとする課題】
【０００３】
本考案は使い捨て紙おむつに関して使用中に大便が陰のうや陰部に付着することを嫌うことである。これはおむつ使用者のみならず、この部分の皮膚は弱く大便が付着することによってカユミが生じること、また介護者はおむつの替えのとき、この陰のう陰部に付着した大便を拭き取ることを心掛けねばならず、度重なることでタダレる等の苦労があった。  
【課題を解決するための手段】
【０００４】
考案者は、子育てと介護とを続けて経験している結果本考案に到達したものであって、本考案は使い捨て紙おむつ（１）の中央部分、即ち中央の吸水パット（２）上に紙の小片（３）を設け、この紙の小片（３）によって陰のうや陰部に裏側から当てるように覆うこととする。
【０００５】
このような手方でおむつ（１）を替えることによって、大便は陰のうや陰部に付着することがなくなり、使用者はカユミや不快感がなくなり、介護者（母親も）も付着物を拭き取る手間もなくなり、苦もなくおむつの交換ができる。
【考案の効果】
【０００６】
上述のように本考案の使い捨て紙おむつは、おむつの表面中央に僅かな小片を設けるのみで陰のうや陰部への大便の付着を防ぐことができるためおむつをする者のカユミや不快感をなくし、介護者の大便の拭き取りもなくなり、気軽におむつの交換が可能となるため、このおむつの使用上の効果はきわめて顕著である。
【考案を実施するための最良の形態】
【０００７】
添付図面により本考案の使い捨て紙おむつを実施するための最良の形態を説明すると、図１はおむつを展開した平面図であって、吸水パット（２）の中央に本考案の特徴である陰のうや陰部への大便の付着を防ぐ紙の小片（３）が設けてあることが理解できる。
【実施例】
【０００８】
添付図面により本考案を説明すると、図１は使い捨て紙おむつの展開平面図であって、（１）は紙おむつ、（２）は中央に部厚く配されている吸水パットであって、通常の使い捨て紙おむつである。            
【０００９】
この吸水パット（２）の表面に体方向に片開きできるように紙の小片（３）を配置する。
この小片（３）の形成に当ってはおむつの表面にコ字状の切込みを設けて指で紙をつまみ出すか、別におむつの半分程の紙を重ねて、この先に凸状の小片を形成して凸部を小片（３）の代替えとするか、または単に紙の小片（３）をおむつの中に入れるだけでもよい。
【００１０】
したがって使用に当っては、おむつ（１）を尻に敷き、紙の小片（３）を広げて陰のうや陰部の裏側から覆うように当て通常の形式でおむつをする。当然のことながら、この上からおむつカバーをして完了する。
【００１１】
そして、おむつの交換の際には通常のようにおむつを外し、このとき大便がある場合でも、陰のうや陰部が紙（３）で区切られているため、この大便が陰のうや陰部に付着することが防げ、おむつをする方もおむつをされる方も気持ちよくおむつの交換ができる。
【産業上の利用可能性】
【００１２】
本考案の使い捨て紙おむつは大便が陰のうや陰部に付着しない工夫がされているため、特に好評で要介護者間で人気がありこの利用可能性はきわめて大である。
【図面の簡単な説明】
【００１３】
【図１】使い捨て紙おむつの展開平面図
【図２】側面図
【符号の説明】
【００１４】
１  おむつ本体
２  吸水パット
３  紙の小片
【図１】
0003138443.tif 000003
【図２】
0003138443.tif 000004
(57)【要約】      （修正有）【課題】ブレーキを駆動装置のシーブ軸に取付けることにより、減速機の歯車折損やモーター軸の折損など生じた場合でも、安全に制動できるエレベーター駆動装置を提供する。【解決手段】モーターブレーキ７の他にシーブ軸１にシーブブレーキ２を取付けることにより、安全性を高めたことを特徴とするエレベーター駆動装置。【選択図】図２
0003138466.tif 000002
【実用新案登録請求の範囲】
【請求項１】
本考案はトラクションロープ式エレベーター用歯車式駆動装置のモーターブレーキ以外に、新たにシーブ軸の先端部にシーブブレーキを装着、減速機歯車や軸の折損、モーター軸の破損時においても制動可能となる２重ブレーキとした。これにより安全性を高めたことを特徴．とするシーブブレーキ付エレベーター駆動装置。
【考案の詳細な説明】
【技術分野】
【０００１】  本考案は、トラクションロープ式エレベーターを昇降させる歯車式駆動装置のシーブ軸先端にブレーキを装着した歯車式駆動装置に関するものである。
【背景技術】
【０００２】  従来、エレベーター用歯車式駆動装置のブレーキはモーター軸または、減速機軸に取付けられていた。
【考案の開示】
【考案が解決しょうとする課題】
【０００３】  モーター軸、減速機軸に装着したブレーキは次のような欠点があった。モーター軸の折損あるいは減速機軸、歯車の折損した場合、ブレーキが効かなくなる。また、過速度時の非常制動時、減速機入力軸は増速作用で高速回転となるが、シーブ軸は低回転なので安全である。本考案はこのような欠点を解決するため考案されたものである。
【課題を解決するための手段】
【０００４】  シーブブレーキをシーブ軸先端に装着、シーブ軸にブレーキを具備されていることを特徴とする駆動装置。これにより、問題を解決している。
【考案の効果】
【０００５】  シーブブレーキを設けることにより、ブレーキをシーブ軸およびモーター軸に分散配置できるため安全性を高めることが可能となる。従って、減速機の歯車の折損、モーター軸折損やモーター軸ブレーキの故障が生じた場合でも、シーブブレーキにより、制動ができる。また、シーブ軸は低速回転であるため、モーター軸、減速機入力軸の高速回転に較べ低い回転をしているためより制動しやすく安全性が高まる。
【考案を実施するための最良の形態】
【０００６】  以下本考案の実施の形態を説明する。シーブブレーキをシーブ軸先端に装着、シーブブレーキは固定金具に取り付、シーブブレーキを支持するブレーキ固定金具は機械台に固定されている。これにより、シーブおよびシーブ軸を制動することができる。
【実施例】  以下図面によって、本考案の実施例を説明する。２のシーブブレーキを１のシーブ軸先端に装着、２のシーブブレーキは４のブレーキ固定金具に取り付、２のシーブブレーキを支持する４のブレーキ固定金具は３の機械台に固定されている。これにより、１のシーブ軸および８のシーブを制動することができる。
【図面の簡単な説明】
【０００７】
【図１】図１は本考案駆動装置の正面図
【図２】図２は本考案駆動装置の側面図
【図３】図３は本考案駆動装置の平面図
【符号の説明】
１．シーブ軸
２．シーブブレーキ
３．機械台
４．ブレーキ固定金具
５．減速機
６．モーター
７．モーターブレーキ
８．シーブ（綱車）
【図１】
0003138466.tif 000003
【図２】
0003138466.tif 000004
【図３】
0003138466.tif 000005
(57)【要約】      （修正有）【課題】従来、歯車式駆動装置は、エレベーターの駆動シーブを減速機軸に直に取付けていた。そのため、減速機軸にラジアル荷重がかかり、歯車の噛合いに悪い影響を及ぼしていた。以上の欠点を解決するためシーブ軸を減速機軸と別に設け、シーブ軸でラジアル荷重を受けて、減速機はラジアル荷重を受けないようにする。【解決手段】ロープを介して、エレベーターを駆動する８のシーブとシーブを装着した１のシーブ軸を５の減速機の軸と別に設け、９の支持体に取付ける。支持体は３の機械台に固定されている。これにより、５の減速機の歯車のラジアル荷重による噛合いにあたえる悪影響を防止できる。【選択図】図２
0003138468.tif 000002
【実用新案登録請求の範囲】
【請求項１】
本考案は、トラクションロープ式エレベーターを昇降駆動するシーブが装着されたシーブ軸を減速機軸とは別に設けたことにより、減速機軸にかかるラジアル荷重をなくし、また、シーブ軸を減速機の中空軸に挿入することにより、カップリング結合をなくし、省スペースとしたことを特徴とするエレベーター駆動装置。
【考案の詳細な説明】
【技術分野】
【０００１】  本考案は、トラクションロープ式エレベーターを昇降させる駆動装置のシーブを装着した、シーブ軸を減速機軸と別に設けた。ラジアル荷重はシーブ軸で受ける構造としたため、減速機軸にラジアル荷重が発生しない。また、減速機軸とシーブ軸はカップリングで結合せず減速機中空軸にシーブ軸を挿入している。従って、駆動装置の省スペース化を可能とした、エレベーター駆動装置に関するものである。
【背景技術】
【０００２】  従来、歯車式駆動装置のシーブは減速機軸に直接取付けられていた。また、シーブ軸と減速機軸はカップリングで結合されていた。
【考案の開示】
【考案が解決しょうとする課題】
【０００３】  これは次のような欠点があった。従来、シーブが減速機軸に直に取付けてあるため軸にラジアル荷重がかかり、軸にタワミが生じた。そのため、歯車の噛合いに悪影響をおよぼした。また、シーブ軸と減速機軸のカップリング結合は、スペースを取り長くなる。カップリング結合をやめて、直に減速機軸に結合することにより、長さを短縮した。本考案は以上のような欠点を解決するため考案されたものである。
【課題を解決するための手段】
【０００４】  シーブを装着したシーブ軸を減速機軸とは別に設けている。これにより、減速機にラジアル荷重がかかることがなくなり、歯車の噛合いに悪影響を及ぼすことを防止できることを特徴とするエレベーター駆動装置である。
【考案の効果】
【０００５】  シーブ軸を減速機軸とは別に設置することにより、ラジアル荷重など実荷重はシーブ軸で受けるため、減速機軸にはラジアル荷重が発生せず、減速機歯車の噛合いにあたえる悪影響がない。また、カップリングを使用せず、シーブ軸を減速機中空軸に結合しているため、省スペース化ができる。
【考案を実施するための最良の形態】
【０００６】  以下本考案の実施の形態を説明する。シーブを装着したシーブ軸を減速機軸とは別に設ける。また、シーブ軸と減速機軸はカップリングを使った結合はせず、直にシーブ軸を減速機中空軸に結合する。これにより、ラジアル荷重による歯車の噛合いへの影響を防止でき、省スペースも可能となる。
【実施例】
【０００７】  シーブ８を装着したシーブ軸１を減速機５の軸と別に設置して、支持体９に取付ける。シーブ軸１および減速機５は支持体９に取付けられ、支持体９は機械台３に固定されている。
【図面の簡単な説明】
【０００８】
【図１】  図１は本考案駆動装置の正面図
【図２】  図２は本考案駆動装置の側面図（取付例１）
【図３】  図３は本考案駆動装置の側面図（軸支持方法が異なる取付例２）
【符号の説明】
【０００９】１．シーブ軸
２．シーブレーキ
３．機械台
４．ブレーキ固定金具
５．減速機
６．モーター
７．モーターブレーキ
８．シーブ（綱車）
９．支持体
【図１】
0003138468.tif 000003
【図２】
0003138468.tif 000004
【図３】
0003138468.tif 000005
(57)【要約】      （修正有）【課題】仕切り、棚、鉢置き、床材等に用いられる多機能ブロック材料であり、軽量で、組立て及び解体が容易な、且つ表面に不均質模様を有するガーディニング及びインテリア材料の提供。【解決手段】プラスチック複合材料を用い、中空箱状ブロックを形成、開口部と相対する面の突起２と開口部中空内のリブとを勘合可能とし、また溶融した組成物を薄肉空間内部に流すことにより軽量で、表面に不均質模様を有する成形体。【選択図】図３
0003138464.tif 000002
【実用新案登録請求の範囲】
【請求項１】
熱可塑性樹脂１５〜５０重量％及び天然由来の充填剤５０〜８５重量％の組成物を射出成形した平行六面体の成形体であって、その成形体の中央部が中空であり、その一面は開口しており、開口部に相対する面は平坦であるか、或いはその面領域内に単数或いは複数の突起が形成され、その成形体表面が組成物の溶融流動の不均一さに起因する不均質模様を有していることを特徴とするブロック式煉瓦。
【請求項２】
熱可塑性樹脂がポリプロピレン或いはポリエチレン或いは生分解性ポリマー或いはそれらの混合物であることを特徴とする第１項記載のブロック式煉瓦。
【請求項３】
天然由来の充填剤が木粉であることを特徴とする第１、２項記載のブロック式煉瓦。
【請求項４】
熱可塑性樹脂１５〜５０重量％及び天然由来の充填剤５０〜８５重量％の組成物を射出成形したブロック式煉瓦或いは壁材或いは床材或いはプランター或いは鉢であって、その成形体表面が組成物の溶融流動の不均一さに起因する不均質模様を有していることを特徴とするベランダ及びインドアガーディニング材料。
【考案の詳細な説明】
【技術分野】
【０００１】  本考案は、仕切り、棚、鉢置き、床材等に用いられる多機能ブロック材料であり、家庭菜園分野、ガーディニング分野、ベランダ及びインドアガーディニング分野及びインテリア分野に関する。
【背景技術】
【０００２】  ガーディニング等に利用されている煉瓦ブロックは一般に重量があり、持ち運びに難があり、特に高層建築物のベランダ等で用いるためには不都合な面を有していた。コンクリートブロックも形状に変化は付けられるが重量的には煉瓦ブロックと類似している。木製の棚等は一度成形体にすると、作り直すことが煩雑で敬遠されることが多い。また通常のプラスチックは外観が十分に満足できないという欠点を有していた。
【考案の開示】
【考案が解決しようとする課題】
【０００３】  本考案では前記の不都合を考慮し、軽量で、組み立てが簡単な、且つ外観が天然木質材料に近く、ガーディニング材料として違和感のない煉瓦状材料の提供を目的とした。
【課題を解決するための手段】
【０００４】  本考案では上記課題を解決するために、天然由来の材料を含むプラスチック複合材料を用い、一面が開口し、中央部が中空の平行六面体の箱状ブロックを形成し、組成物の溶融流動を規制し易いように薄肉構造とすると共に、端部に単数或いは複数の射出ゲートを設けた。
【考案の効果】
【０００５】  本考案によれば成形体を中空箱状とすることで重量を大幅に低減でき、取り扱いが容易となった。また複数のブロックを用い、表面の突起とそれに相対する開口部のリブ端面とを勘合させることにより、任意の形状の製品、例えば仕切り壁、床材、植木鉢の置き台等を容易に組立て、解体できる。
更には成形体を薄肉構造で形成したことにより、溶融時の組成物の流動性が不均一となり、成形体表面に不均質な模様を付与することができた。この不均質な模様は天然木質材料をイメージさせ、ガーディニング或いはインテリア材料として好ましい外観を付与することができた。
【考案を実施するための最良の形態】
【０００６】  図１〜図５に本考案の実施例の１つを示す。なお本考案は該実施例に限定されるものではない。図１はブロック上面図、図２はブロック下面図、図３はブロック側面図、図４はブロック側面方向の断面図である。
また図５は成形体表面が均一ではなく、不均質な模様を有しているというイメージ図である。
この中空の箱状ブロック成形体は熱可塑性樹脂及び天然由来の材料からなる複合材料を射出成形することにより得られる。成形に際しては、通常用いられる酸化防止剤、安定剤、滑剤等を必要に応じて使用できる。
熱可塑性樹脂はポリプロピレン、ポリエチレン、ポリスチレン、ポリ塩化ビニル、ポリエステル、ポリ乳酸、ポリコハク酸等から選択できるが、ポリオレフィン、特にポリプロピレンが好ましい。天然由来の材料としては木材、好ましくは木材廃材を粉末化した木粉が好ましく、重量で３０〜８０％、好ましくは５０〜７０％を熱可塑性樹脂と混合し、一旦ペレット状にしたものを射出成形する。
中央が中空の箱状ブロック１は、その開口した面３に相対する面４の上に突起２を有する。この突起２は他のブロックの中空の空間内に設けられたリブ５が形成する壁の端面に嵌め込み、固定することができる。これを利用し複数のブロックを組立て、仕切り壁、棚等を容易に得ることができる。
成形は単数或いは複数の射出ゲート６及び／或いは６’から組成物を射出するが、薄肉の領域を流動する際、溶融組成物の不均一な流れに起因する不均質模様が成形体表面に付与される。
【産業上の利用可能性】
【０００７】  例えば、家庭菜園或いはガーディニング或いはインテリア分野で使用される仕切り壁、床材、枠材、置き台等広範な製品に応用できる。軽量のため取り扱いが容易であり、表面の不均質な模様が天然木材風外観を有していることが利点である。
【実施例】  本考案の実施例を説明する。【０００８】  ［実施例１］
ポリプロピレン樹脂５０重量％、木質充填剤（平均粒径５００μｍの木粉）５０重量％からなる複合材料ペレットを原料とし、図１〜図４に示す箱状ブロック成形体を成形した。突起２は中空中央部に形成したリブ５が形成する中央空間部に勘合可能であり、複数組み合わせることにより棚等を容易に形成できた。
この成形体表面は図５に示すような不均質な模様を有していた。
［実施例２］
ポリプロピレン３０重量％、木質充填剤（平均粒径５００μｍの木粉）７０重量％からなる複合材料ペレットを原料とし、図１〜図４に示す箱状ブロック成形体を成形した。実施例１と同じ操作により複数の成形体を合体させ、棚等を得ることができた。その表面は図５に示すような不均質模様を有していた。
【図面の簡単な説明】
【０００９】
【図１】  本考案におけるブロックの一実施例の上面概略図面である。
【図２】  上記ブロックの下面概略図面である。
【図３】  上記ブロックの側面概略説明図である。
【図４】  上記ブロックの側面方向の断面概略図面である。
【図５】  上記ブロックの表面の不均質模様のイメージ図である。
【符号の説明】
【００１０】  １      ブロック煉瓦
２      突起
３      開口部
４      開口部に相対する面
５      空間内のリブ
６      射出ゲート
６’    射出ゲート
７      不均質模様
【図１】
0003138464.tif 000003
【図２】
0003138464.tif 000004
【図３】
0003138464.tif 000005
【図４】
0003138464.tif 000006
【図５】
0003138464.tif 000007